(57)【要約】【課題】扱室の後方に４番処理室を備える脱穀装置において、揺動選別棚による穀粒選別効率を向上させる。【解決手段】揺動選別棚（２５）には、扱室（３）からの被処理物を受け入れて後方に移送する移送棚（２７）と、後上りに傾斜する複数のシーブ板（４０）を前後方向に所定間隔を置いて配置して移送棚（２７）上の被処理物を引き継いで篩い選別するシーブ（２８）と、シーブ（２８）上の被処理物を引き継いで篩い選別するストローラック（２９）を備え、シーブ（２８）の前端部を４番処理室（９）の下方に配置する。  また、移送棚（２７）の上面を、平滑な面に形成する。  また、移送棚（２７）を、第１移送棚（２７ａ）と、第１移送棚（２７ａ）の後側に配置された第２移送棚（２７ｂ）から構成し、第２移送棚（２７ｂ）には穀粒の粒径よりも大きい複数の濾過孔（３９）を形成する。【選択図】      図２
2013153697.tif 000002
【特許請求の範囲】
【請求項１】
扱胴（５）を軸架した扱室（３）の終端側に穀稈中の刺さり粒を回収する４番処理胴（１１）を備えた４番処理室（９）を備え、扱室（３）及び４番処理室（９）の下方に揺動選別棚（２５）を備えた脱穀装置において、
前記揺動選別棚（２５）には、扱室（３）からの被処理物を受け入れて後方に移送する移送棚（２７）と、後上りに傾斜する複数のシーブ板（４０）を前後方向に所定間隔を置いて配置して前記移送棚（２７）上の被処理物を引き継いで篩い選別するシーブ（２８）と、該シーブ（２８）上の被処理物を引き継いで篩い選別するストローラック（２９）を備え、前記シーブ（２８）の前端部を４番処理室（９）の下方に配置したことを特徴とする脱穀装置。
【請求項２】
前記移送棚（２７）の上面を、平滑な面に形成した請求項１記載の脱穀装置。
【請求項３】
前記移送棚（２７）を、第１移送棚（２７ａ）と、該第１移送棚（２７ａ）の後側に配置された第２移送棚（２７ｂ）から構成し、該第２移送棚（２７ｂ）には穀粒の粒径よりも大きい複数の濾過孔（３９）を形成した請求項１又は請求項２記載の脱穀装置。
【請求項４】
前記第１移送棚（２７ａ）と第２移送棚（２７Ｂ）の少なくとも一方を、前記扱室（３）内に供給される穀稈の穂先側が高く、株元側が低くなるように傾斜させた請求項３記載の脱穀装置。
【請求項５】
前記第１移送棚（２７ａ）と第２移送棚（２７ｂ）の少なくとも一方を、被処理物の移送方向上手側より下手側が低くなるように傾斜させた請求項３又は請求項４記載の脱穀装置。
【発明の詳細な説明】
【技術分野】
【０００１】
この発明は、脱穀装置に関する。
【背景技術】
【０００２】
従来、例えば、特許文献１には、前側板と中側板との間に形成した扱室の後側には、中側板と後側板との間において穀稈中の刺さり粒を回収する４番処理室を設け、この４番処理室内の後端部まで扱室内の扱胴を延長させて４番処理胴を設けた構成の脱穀装置が開示され、また、扱室の下方から後方にわたっては、移送棚やシーブ及びストローラック等からなる揺動選別棚が配置されている。
【０００３】
そして、前記揺動選別棚のシーブはこの前端側が扱室の前後中間部の下方位置まで延出された配置構成になっている。
【先行技術文献】
【特許文献】
【０００４】
【特許文献１】特開２００７−３１２７３３号公報
【発明の概要】
【発明が解決しようとする課題】
【０００５】
上記シーブの配置構成によると、移送棚による前方からの移送距離が短くて藁屑と穀粒との比重選別が充分に行えず、シーブ部に至って藁屑まで濾過されてしまい、１番口に稈切れが混入したり、藁屑に刺さった穀粒がそのまま機外に排出されるなど選別不良、４番ロスを招く問題があった。
【課題を解決するための手段】
【０００６】
この発明は、上記課題を解決すべく次のような技術的手段を講じた。
すなわち、請求項１記載の発明は、扱胴（５）を軸架した扱室（３）の終端側に穀稈中の刺さり粒を回収する４番処理胴（１１）を備えた４番処理室（９）を備え、扱室（３）及び４番処理室（９）の下方に揺動選別棚（２５）を備えた脱穀装置において、前記揺動選別棚（２５）には、扱室（３）からの被処理物を受け入れて後方に移送する移送棚（２７）と、後上りに傾斜する複数のシーブ板（４０）を前後方向に所定間隔を置いて配置して前記移送棚（２７）上の被処理物を引き継いで篩い選別するシーブ（２８）と、該シーブ（２８）上の被処理物を引き継いで篩い選別するストローラック（２９）を備え、前記シーブ（２８）の前端部を４番処理室（９）の下方に配置したことを特徴とする脱穀装置である。
【０００７】
扱室（３）内を通過する穀稈は扱胴（５）の回転によって脱穀処理され、扱室後部の４番処理室（９）内では、脱穀処理後の穀稈中に混入する刺さり粒が４番処理胴（１１）の回転により扱き落される。
【０００８】
移送棚（２７）は、主として扱室（３）の受網から漏下する被処理物を受け入れて後方に揺動移送しながら比重選別し、後続するシーブ（２８）の始端に受け渡す。
シーブ（２８）は、移送棚（２７）からの被処理物及び４番処理室（９）からの被処理物を受け入れて後方に揺動移送しながら篩い選別する。ストローラック（２９）はシーブ（２８）からの被処理物を受け入れて篩い選別する。
【０００９】
シーブ（２８）の前端部が４番処理室（９）の下方に位置するので、移送棚（２７）による移送距離が長くとれて比重選別が良好に行え、移送棚（２７）より受け継いだシーブ（２８）上での篩い選別が効果的に行え、選別性能が向上する。
【００１０】
請求項２記載の発明は、前記移送棚（２７）の上面を、平滑な面に形成した請求項１記載の脱穀装置である。
上記構成によると、移送棚（２７）の上面が平滑であるため、被処理物が分散し易く、穀粒と藁屑が均分化され、移送棚（２７）より受け継いだシーブ（２８）上での篩い選別が良好に行われ、選別性能が向上する。
【００１１】
請求項３記載の発明は、前記移送棚（２７）を、第１移送棚（２７ａ）と、該第１移送棚（２７ａ）の後側に配置された第２移送棚（２７ｂ）から構成し、該第２移送棚（２７ｂ）には穀粒の粒径よりも大きい複数の濾過孔（３９）を形成した請求項１又は請求項２記載の脱穀装置である。
【００１２】
上記構成によると、移送棚（２７）によって送られる被処理物がシーブ（２８）上に受け継がれる前に、第２移送棚（２７ｂ）の濾過孔（３９）から穀粒が下方に漏下するので、１番選別が良好に行える。
【００１３】
請求項４記載の発明は、前記第１移送棚（２７ａ）と第２移送棚（２７Ｂ）の少なくとも一方を、前記扱室（３）内に供給される穀稈の穂先側が高く、株元側が低くなるように傾斜させた請求項３記載の脱穀装置である。
【００１４】
扱室（３）から下方の揺動選別棚（２５）上に落下する被処理物は、扱室（３）の穂先側において多量に落下するため、移送棚（２７）上では、被処理物が穀稈の穂先側に対応する一側に偏って落下するが、第１移送棚（２７ａ）と第２移送棚（２７Ｂ）の少なくとも一方を傾斜させることで、比重選別が棚幅全体で行えるため、シーブ（２８）上での選別性能が向上する。
【００１５】
請求項５記載の発明は、前記第１移送棚（２７ａ）と第２移送棚（２７ｂ）の少なくとも一方を、被処理物の移送方向上手側より下手側が低くなるように傾斜させた請求項３又は請求項４記載の脱穀装置である。
【００１６】
上記構成によると、移送棚（２７）における被処理物の移送方向下手側が低くなっているので、前側から流れてきた処理物が後側に流れ易くなり、移送棚（２７）上の被処理物が充分に均分化されるため、選別性能が向上する。
【発明の効果】
【００１７】
請求項１記載の発明によれば、移送棚（２７）からの被処理物を受け継ぐシーブ（２８）の前端部が４番処理室（９）の下方に位置するので、移送棚（２７）による移送距離が長くとれて比重選別が良好に行え、受け継いだシーブ（２８）上での篩い選別が効率よく行え、選別性能を向上させることができる。
【００１８】
請求項２記載の発明によれば、請求項１記載の発明による効果に加えて、移送棚の上面を平滑な面に形成しているため、被処理物が分散し易く、穀粒と藁屑が均分化され、移送棚（２７）より受け継いだシーブ（２８）上での篩い選別が効果的に行え、選別性能が向上する。
【００１９】
請求項３記載の発明によれば、請求項１又は請求項２記載の発明による効果に加えて、第２移送棚（２７ｂ）に、穀粒の粒径よりも大きい濾過孔（３９）を複数形成されているので、移送棚（２７）からシーブ（２８）に受け継がれる前に、濾過孔（３９）から穀粒をふるい落とすことができ、１番選別性能の向上を図ることができる。
【００２０】
請求項４記載の発明によれば、請求項３記載の発明による効果に加えて、第１移送棚（２７ａ）と第２移送棚（２７Ｂ）の少なくとも一方を、扱室（３）の穂先側よりも株元側が低くなるように傾斜させているので、移送棚（２７）上の一側に偏って落下する被処理物が下り傾斜方向に流れ易く、棚幅全体で移送選別されるようになるため、選別性能が一段と向上する。
【００２１】
請求項５記載の発明によれば、請求項３又は請求項４記載の発明による効果に加えて、第１移送棚（２７ａ）と第２移送棚（２７ｂ）の少なくとも一方を、被処理物の移送方向上手側より下手側が低くなるように傾斜させているので、前側から流れてきた被処理物が後側に流れ易くなり、被処理物が充分に均分化されるため、選別性能がより向上する。
【図面の簡単な説明】
【００２２】
【図１】脱穀装置の側面図
【図２】脱穀装置の要部の側断面図
【図３】脱穀装置の要部の平面図
【図４】脱穀装置の要部の背面図
【図５】揺動選別装置の要部の側面図
【図６】同上要部の平面図
【発明を実施するための形態】
【００２３】
この発明の実施例を図面に基づき説明する。
図１は、脱穀装置の側面図を示すものであり、次のような構成になっている。
すなわち、脱穀装置（脱穀部）１は、脱穀フィードチェン２により株元を挟持しながら搬送される穀稈の穂先部を扱室３内で駆動回転する扱歯４付扱胴５によって脱穀処理するように構成している。扱室３の下半周部には受網６が張設され、扱胴５の上部を覆う扱胴カバー７は、扱室の一側を支点として揺動開閉する構成である。扱室３の終端側後部には、穀稈（排藁）中の刺さり粒を掻き落して回収する４番処理室９を構成して設け、この４番処理室９には、前記扱胴５と略同径で同一軸芯回りに強制回転する外周に処理歯１０を有した４番処理胴１１を内装軸架している。４番処理胴１１は、実施例では前記扱胴５と一体構成としてあり、該扱胴５を扱室終端より長く延出させた構成としている。
【００２４】
扱室３始端側の前側板１２と後仕切板１３との間に受網６が張設され、扱室の後仕切板１３と後側板１４間に４番処理室１１が構成されている。
４番処理室１１の下半周部で４番処理胴１０の下側位置において穀稈を下から受けて支持する受け板１６が設けられている。この受け板１６には、しごき落された穀粒を下方に漏下させるための漏粒穴１７が設けられている。
【００２５】
前記４番処理室１１は、この処理室内での処理物の一部と扱室３からの排塵処理物が、穀稈の穂先側に対応する部位に設けられた仕切案内板１８と扱室後仕切板１３間の送塵路１５から排塵処理胴１９を内架する排塵処理室２０側へ送られるように連通されている。
【００２６】
なお、前記排塵処理胴１９は、脱穀フィードチェン２側とは反対側一側に配置してあり、また、排塵処理胴１９の前方にはこれと同一軸芯上において２番処理胴２１を扱胴５と平行状に並設している。
【００２７】
扱室下方の揺動選別装置（揺動選別棚）２５は、揺動棚駆動軸２６からの駆動により前後方向に往復揺動し、脱穀処理後の処理物を受け入れて揺動移送しながらふるい選別する構成であり、選別方向上手側から移送棚２７、チャフシーブ（シーブ）２８、ストロ−ラック２９の順に配置し、且つ、前記チャフシ−ブ２８の下方にグレンシ−ブ（選別網）３０、１番戻し棚３１、２番戻し棚３２を配置して設けた構成としている。
【００２８】
グレンシーブ３０は、前部に濾過目合いの小さい第１選別網部を、後部に第１選別網部よりも濾過目合いの大きい第２選別網部を有する。
第１選別網部は、前記チャフシーブ２８の被処理物移送方向上手側の端部の下側であって、１番螺旋３６の上側に配置されている。
【００２９】
また、揺動選別棚２５の下方には選別方向の上手側から順に、唐箕３５と、１番ラセン３６、２番ラセン３７と、その上方に排塵フアン３８を設けて排塵選別室を構成している。
【００３０】
前記移送棚２７は、前部側の第１移送棚２７ａと後部側の第２移送棚２７ｂからなり、上面が平坦な移送面となるよう平板によって構成し、扱室３の受網６の下方に配置している。また、この移送棚は２７は、後部側（移送方向下手側）が前部側よりやや低くなるよう前後に傾斜してあり、しかも、扱室の穀稈穂先側よりも株元側が低くなるよう左右に傾斜している。そして、後部側の第２移送棚２７ｂには穀粒が漏下する程度の濾過孔３９が穿設されている。濾過孔３９は、左右方向に長い長孔形状に構成され、処理物の送り方向に適宜傾斜して設けられている。
【００３１】
前記チャフシーブ２８は、前記４番処理室１１の下方から後方にわたって配置され、前後方向に所定間隔を開けて上下方向に傾斜する傾斜角変更可能なシーブ板４０からなり、第２移送棚２７ｂからの処理物及び４番処理室１１からの処理物を受け入れてふるい選別するように構成している。
【００３２】
前記移送棚の左右及び前後の傾斜は、前後の移送棚２７ａ，２７ｂ全体が上記のように左右及び前後に傾斜するものであってもよく、前側の第１移送棚２７ａが水平で後側の第２移送棚２７ｂのみ左右及び前後に傾斜する構成、或は、第２移送棚が水平で第１移送棚が左右及び前後に傾斜するものであっても良い。
【００３３】
なお、移送棚２７ａ，２７ｂ上には、該棚上に落下する処理物を２番処理胴２１側一側から他側方に向けて寄せながら案内する寄せ案内板４１が設けられている。
【符号の説明】
【００３４】
３    扱室
５    扱胴
９    ４番処理室
１１    ４番処理胴
２５    揺動選別棚
２７    移送棚
２７ａ  第１移送棚
２７ｂ  第２移送棚
２８    チャフシーブ（シーブ）
２９    ストローラック
３９    濾過穴
４０    シーブ板
【図１】
2013153697.tif 000003
【図２】
2013153697.tif 000004
【図３】
2013153697.tif 000005
【図４】
2013153697.tif 000006
【図５】
2013153697.tif 000007
【図６】
2013153697.tif 000008